(57)【特許請求の範囲】
【請求項１】
扉と、
少なくとも１つの棚と、
少なくともチューブまたはビンを挿入可能であって、前記扉の内側に着脱自在な収納ユニットとを備え、
前記収納ユニットが前記少なくとも１つの棚に載置可能であり、
前記収納ユニットを前記扉の内側に取り付けた状態では、第１の壁が後壁となり、第２の壁が前壁となって、少なくともチューブまたはビンを斜め方向に挿入可能および保持可能な収納スペースを形成し、
前記収納ユニットを前記棚に載置した状態では、前記第１の壁が底壁となり、前記第２の壁が上壁となって、少なくともチューブまたはビンを斜め方向に挿入可能および保持可能な前記収納スペースを形成し、
前記収納ユニットを前記棚に載置した状態では、前記第１の壁は前記収納スペースよりも前方に延出している、冷蔵庫。
【請求項２】
前記収納ユニットの背面と前記少なくともチューブまたはビンの挿入方向との角度が３０以上６０度以下である、請求項１に記載の冷蔵庫。
【請求項３】
扉と、
少なくとも１つの棚と、
少なくともチューブまたはビンを挿入可能であって、前記扉の内側に着脱自在な収納ユニットとを備え、
前記収納ユニットが前記少なくとも１つの棚に載置可能であり、
前記収納ユニットは、前記収納ユニットを前記扉に掛けた状態における上下方向に、複数の収納スペースが形成され、
前記収納ユニットを前記扉に掛けた状態における、下段の収納スペースの上下方向の幅が、上段の収納スペースの上下方向の幅よりも広い、冷蔵庫。
【請求項４】
前記収納スペースの内壁には、前記少なくともチューブまたはビンの挿入方向と平行に複数のリブが形成されている、請求項１から３のいずれか１項に記載の冷蔵庫。
【請求項５】
前記収納ユニットには少なくとも１つの係止部が形成されており、
前記扉および前記棚には、前記係止部に対応する少なくとも１つの係止口が形成されている、請求項１から４のいずれか１項に記載の冷蔵庫。
【発明の詳細な説明】
【技術分野】
【０００１】
本発明は、冷蔵庫の技術に関し、特に調味料などのチューブやビンなどを収納する収納部材の技術に関する。
【背景技術】
【０００２】
従来から、冷蔵庫の扉の内側には、調味料などのチューブや瓶などを収納するための収納部材が取り付けられている。当該技術は、たとえば、以下のような特許文献に記されている。
【０００３】
特開平８−１７０８７３号公報（特許文献１）には、冷蔵庫用食品収納容器及び冷蔵庫が開示されている。特開平８−１７０８７３号公報（特許文献１）によると、平面形状をほぼ矩形状とし、容器の高さが前記矩形状を構成する横幅より大きく、冷蔵庫の庫内室で並設設置が可能な大きさを有する縦長の形態で、上部に食品を出し入れする投入口、容器下部に少なくとも冷気通風口を備えた冷蔵庫用食品収納容器を冷蔵庫に備える。
【０００４】
特許第２７１６８６７号明細書（特許文献２）には、缶シュータ機能付冷蔵庫が開示されている。特許第２７１６８６７号明細書（特許文献２）によると、扉の裏側に上方から挿入された缶製品を収納可能とするよう設けられた上部ポケットと、この上部ポケットの下方に配設され落下する前記缶製品を受け外部に取出し可能に構成された下部ポケットと、前記上部ポケットに選択的に回動自在となるよう設けられ回動自在とした際に前記扉の裏側との間に前記缶製品をガイドしつつ前記下部ポケットに挿入順に落下させる空間部を形成する底板と、前記下部ポケットに設けられ前記缶製品を受けて外部に取出す引き出しと、この引き出しの引き出し動作時に落下する前記缶製品の保持動作を行うと共に、押し入れ時に保持動作を解除し当該引き出しに前記缶製品を受け入れる保持機構とを具備したことを特徴とする缶シュータ機能付冷蔵庫が提供される。
【０００５】
特開２０１２−２６６３９号公報（特許文献３）には、冷蔵庫が開示されている。特開２０１２−２６６３９号公報（特許文献３）によると、冷蔵庫本体の前面開口を開閉する扉と、該扉の内側の上下に設けた第一の扉収納容器及び第二の扉収納容器と、該第一の扉収納容器又は該第二の扉収納容器に設置するチューブ収納手段と、を備えた冷蔵庫において、前記チューブ収納手段は長辺及び短辺に第一の係止部及び第二の係止部をそれぞれ備え、前記第一の扉収納容器の高さは前記第二の扉収納容器の高さよりも高く、前記第一の係止部は前記第一の扉収納容器の前壁に係合する高さに設けられ、前記第二の係止部は前記第二の扉収納容器の前壁に係合する高さに設けられたことを特徴とする。
【先行技術文献】
【特許文献】
【０００６】
【特許文献１】特開平８−１７０８７３号公報
【特許文献２】特許第２７１６８６７号明細書
【特許文献３】特開２０１２−２６６３９号公報
【発明の概要】
【発明が解決しようとする課題】
【０００７】
しかしながら、従来の冷蔵庫では、調味料などのチューブやビンなどを収納する収納部材が扉に取り付けられているため、扉の収納スペースが制限されてしまい、収納できる牛乳パックやお茶の容器などの量が制限されてしまう、という問題があった。
【０００８】
本発明は、かかる問題を解決するためになされたものであり、その目的は、収納部材による扉の収納スペースの減少を低減することができる冷蔵庫を提供することにある。
【課題を解決するための手段】
【０００９】
この発明のある態様に従うと、冷蔵庫が提供される。冷蔵庫は、扉と、少なくとも１つの棚と、少なくともチューブまたはビンを挿入可能であって、前記扉の内側に着脱自在な収納ユニットとを備える。前記収納ユニットが前記少なくとも１つの棚に載置可能である。
【００１０】
好ましくは、前記収納ユニットには、斜め方向に、前記少なくともチューブまたはビンを挿入可能である。前記収納ユニットの背面と前記少なくともチューブまたはビンの挿入方向との角度が３０以上６０度以下である。
【００１１】
好ましくは、前記収納ユニットは、前記収納ユニットを前記扉に掛けた状態における上下方向に、複数の収納スペースが形成される。前記収納ユニットを前記扉に掛けた状態における、下段の収納スペースの上下方向の幅が、上段の収納スペースの上下方向の幅よりも広い。
【００１２】
好ましくは、収納スペースの内壁には、前記少なくともチューブまたはビンの挿入方向と平行に複数のリブが形成されている。
【００１３】
好ましくは、前記収納ユニットには少なくとも１つの係止部が形成されている。前記扉および前記棚には、前記係止部に対応する少なくとも１つの係止口が形成されている。
【発明の効果】
【００１４】
以上のように、この発明によれば、収納ユニットによる扉の収納スペースの減少を低減することができる冷蔵庫が提供される。
【図面の簡単な説明】
【００１５】
【図１】第１の実施の形態にかかる冷蔵庫１の一部の外側と一部の内側とを示す正面図である。
【図２】第１の実施の形態にかかる収納ユニット１００が扉４Ｒに取り付けられた状態を示すイメージ図と、収納ユニット１００が棚４ｅに載置された状態を示すイメージ図である。
【図３】第１の実施の形態にかかる収納ユニット１００が扉４Ｒに取り付けられた状態を示す側面断面図である。
【図４】第１の実施の形態にかかる収納ユニット１００が棚４ｅに載置された状態を示す側面断面図である。
【図５】第４の実施の形態にかかる収納ユニット１００が棚４ｅに載置された状態を示す側面断面図である。
【図６】第５の実施の形態にかかる収納ユニット１００が扉４Ｒに取り付けられた状態を示す側面断面図である。
【図７】第５の実施の形態にかかる収納ユニット１００が棚４ｅに載置された状態を示す側面断面図である。
【図８】第６の実施の形態にかかる収納ユニット１００が扉４Ｒに取り付けられた状態を示す側面断面図である。
【図９】第６の実施の形態にかかる収納ユニット１００が棚４ｅに載置された状態を示す側面断面図である。
【図１０】第７の実施の形態にかかる収納ユニット１００が扉４Ｒに取り付けられた状態を示す側面断面図である。
【図１１】第７の実施の形態にかかる収納ユニット１００が棚４ｅに載置された状態を示す側面断面図である。
【図１２】第８の実施の形態にかかる収納ユニット１００が扉４Ｒに取り付けられた状態を示す側面断面図である。
【図１３】第８の実施の形態にかかる収納ユニット１００が棚４ｅに載置された状態を示す側面断面図である。
【図１４】第９の実施の形態にかかる収納ユニット１００が棚４ｅに載置された状態を示すイメージ図である。
【発明を実施するための形態】
【００１６】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜冷蔵庫の全体構成＞
【００１７】
まず、図１を参照して、本実施の形態に係る冷蔵庫１の全体構成について説明する。なお、図１は、本実施の形態にかかる冷蔵庫１の一部の外側と一部の内側とを示す正面図である。
【００１８】
冷蔵庫１は、断熱箱体２を含む。断熱箱体２は上部に冷蔵室４を備え、冷蔵室４の下方に冷凍室２１、５が左右に並設される。冷凍室２１、５の下方にも冷凍室６が配され、冷凍室６の下方には野菜室７が配される。なお、これらの部屋の機能は、切換可能であることが好ましい。
【００１９】
冷蔵室４と冷凍室２１、５とは断熱壁により仕切られ、冷凍室６と野菜室７とは断熱壁により仕切られる。断熱壁には発泡スチロール等の断熱材が充填される。
【００２０】
冷蔵室４は貯蔵物を冷蔵保存し、前面を左右端でそれぞれ枢支される断熱材から構成される扉４Ｌ、４Ｒにより開閉される。本実施の形態においては、扉４Ｌ，４Ｒの裏側には、牛乳パックやお茶のポットやビール瓶などを収納するためのケース４５Ｌ，４５Ｒが配置されている。
【００２１】
本実施の形態においては、扉４Ｒの裏側には、ケース４５Ｒの上方に、調味料などのチューブやビンなどを収納するための収納ユニット１００が着脱可能に取り付けられている。そして、後述するように、収納ユニット１００は、扉４Ｒの裏面から取り外して、棚４ｅに載置することができる。
【００２２】
冷蔵室４内には上から順に棚４ｂ、４ｃ、４ｄ、４ｅが並設されている。棚４ｅの下方には正面から見て右側にチルド室７０、左側に給水部１７が設けられている。
【００２３】
冷凍室２１、５、６は、互いに内部で連通し、貯蔵物を冷凍保存する。冷凍室２１は詳細を後述するように製氷室を構成する。冷凍室２１の前面は左端で枢支される断熱扉２１ａにより開閉され、冷凍室５の前面は右端で枢支される断熱扉５ａにより開閉される。冷凍室６の前面は引出式の断熱扉６ａにより開閉される。
【００２４】
野菜室７は貯蔵物を冷蔵室４よりも高温の冷蔵温度で冷蔵保存し、野菜や果物などを収納する。野菜室７の前面は引き出し式の断熱扉７ａにより開閉される。
【００２５】
野菜室７の背面側には図示しない機械室が設けられている。機械室には冷凍サイクルの圧縮機が配されている。
【００２６】
冷凍室２１は断熱壁を介して冷蔵室４の下方に隣接し、製氷皿及び貯氷容器が配される。製氷皿は氷を製氷し、貯氷容器は製氷皿で製氷された氷を収容する。従って、冷凍室２１は製氷を行う製氷室を構成する。
【００２７】
冷蔵室４の下部に設けられる給水部１７は給水ポンプの駆動によって給水タンクから製氷皿に給水される。
＜扉４Ｒと収納ユニット１００と棚４ｅの構成＞
【００２８】
次に、扉４Ｒと収納ユニット１００と棚４ｅの構成について説明する。図２（ａ）は、収納ユニット１００が扉４Ｒに取り付けられた状態を示すイメージ図であって、図２（ｂ）は、収納ユニット１００が棚４ｅに載置された状態を示すイメージ図である。図３は、収納ユニット１００が扉４Ｒに取り付けられた状態を示す側面断面図である。図４は、収納ユニット１００が棚４ｅに載置された状態を示す側面断面図である。
【００２９】
図２（ａ）および図３を参照して、ユーザは、扉４Ｒの裏面のケース４５Ｒに収納するパックなどが少ない場合あるいは棚４ｅに載置すべき食料品などが多い場合は、通常通り、収納ユニット１００を扉４Ｒに取り付けて使用する。より詳細には、本実施の形態においては、収納ユニット１００の背面１１９には、複数の係止口１０９Ａ，１０９Ａが形成されている。そして、扉４Ｒの裏面のケース４５Ｒの上方には、複数の係止部４１Ａ，４１Ａが形成されている。ユーザは、複数の係止部４１Ａ，４１Ａが複数の係止口１０９Ａ，１０９Ａに嵌るようにして、収納ユニット１００を扉４Ｒに取り付ける。
【００３０】
一方、扉４Ｒの裏面のケース４５Ｒに収納するパックなどが多い場合あるいは棚４ｅに載置する食料品などが少ない場合は、図２（ｂ）および図４に示すように、収納ユニット１００を扉４Ｒの裏面から取り外して、棚４ｅに載置して使用する。より詳細には、ユーザは、複数の係止部４１Ａ，４１Ａから複数の係止口１０９Ａ，１０９Ａを取り外して、収納ユニット１００を扉４Ｒから取り外す。
【００３１】
このように、本実施の形態にかかる冷蔵庫１は、扉４Ｒに収納するパックや大きなビンなどの量あるいは棚４ｅに載置する食料品などの量に応じて、扉４Ｒに収納ユニット１００を取り付けたり、棚４ｅに収納ユニット１００を取り付けたりすることができる。すなわち、ユーザの使用状態に応じて、より適切に冷蔵庫内のスペースを有効活用することができる。
【００３２】
より詳細には、図２〜図４を参照して、本実施の形態にかかる収納ユニット１００は、３段の収納スペースを有する。そして、図３を参照して、収納ユニット１００は、背面１０９と、背面１０９から角度αだけ開かれた第１の壁１０１と、第１の壁１０１と平行に第１の壁１０１の下方に形成される第２の壁１０２と、第２の壁１０２と平行に第２の壁１０２の下方に形成される第３の壁１０３とを有する。
【００３３】
そして、背面１０９と第１の壁１０１と第２の壁１０２と第３の壁１０３の左端部には、側壁１０７Ａが形成される。同様に、背面１０９と第１の壁１０１と第２の壁１０２と第３の壁１０３の右端部にも、側壁１０７Ｂが形成される。
【００３４】
このような構成であるため、背面１０９と第１の壁１０１と側壁１０７Ａ，１０７Ｂとによって、第１の収納スペースが形成される。そして、第１の壁１０１と第２の壁１０２と側壁１０７Ａ，１０７Ｂとによって、第２の収納スペースが形成される。そして、第２の壁１０２と第３の壁１０３と側壁１０７Ａ，１０７Ｂとによって、第３の収納スペースが形成される。
【００３５】
また、本実施の形態においては、第１の壁１０１と第２の壁１０２との間の幅Ｘよりも、第２の壁１０２と第３の壁１０３との間の幅Ｙの方が広く形成されている。これによって、第２の収納スペースよりも第３の収納スペースに、大きいチューブやビンを収納することができるので、収納ユニット１００の体勢が安定する。
【００３６】
また、本実施の形態にかかる冷蔵庫１は、収納ユニット１００を棚４ｅに載置した場合に、収納ユニット１００の一番高い部分と棚４ｄとの間に１ｃｍ以上の隙間が形成されることが好ましい。これによって、冷蔵庫内の空気がスムーズに流れ、冷却効率が減少することを避けることができる。
【００３７】
より詳細には、棚４ｂ，４ｃ，４ｄ，４ｅ同士の間隔は、３５０ｍｍｌのビールの缶を立てたまま収納できるように構成されているため、収納ユニット１００は、棚４ｅに載置したときの高さが、３５０ｍｍｌのビールの高さ、すなわち約１２２ｃｍと同様になるように形成されることが好ましい。
【００３８】
たとえば、背面１０９と第１の壁１０１との間の角度αが、３０〜６０度ぐらいであることが好ましい。より詳細には、背面１０９と第１の壁１０１との間の角度αは、４０〜５０度ぐらいであることが好ましい。
【００３９】
また、本実施の形態においては、第１の壁１０１の第１の収納スペース側には、チューブやビンの挿入方向に向けて、複数のリブ１０５，１０５・・・が形成されている。また、第２の壁１０２の第２の収納スペース側にも、チューブやビンの挿入方向に向けて、複数のリブ１０５，１０５・・・が形成されている。また、第３の壁１０３の第３の収納スペース側にも、チューブやビンの挿入方向に向けて、複数のリブ１０５，１０５・・・が形成されている。これによって、第１〜第３の収納スペースに挿入されたチューブやビンを、真っ直ぐに挿入し易く、また収納中にそれらが倒れ難くなる。
【００４０】
なお、背面１０９の第１の収納スペース側にも、チューブやビンの挿入方向に向けて、複数のリブ１０５，１０５・・・が形成されてもよい。また、第１の壁１０１の第２の収納スペース側にも、チューブやビンの挿入方向に向けて、複数のリブ１０５，１０５・・・が形成されてもよい。また、第２の壁１０２の第３の収納スペース側にも、チューブやビンの挿入方向に向けて、複数のリブ１０５，１０５・・・が形成されてもよい。これによって、第１〜第３の収納スペースに挿入されたチューブやビンを、真っ直ぐに挿入し易く、また収納中にそれらが倒れ難くなる。
＜第２の実施の形態＞
【００４１】
上記第１の実施の形態においては、収納ユニット１００は、扉４Ｒの裏面から取り外した場合に一番下の棚４ｅ上に載置可能な構成に関して説明したが、収納ユニット１００は棚４ｅ以外の棚４ｂ，４ｃ，４ｄの少なくともいずれかに載置可能に構成されてもよい。
【００４２】
その他の構成は、第１の実施の形態のそれらと同様であるため、ここでは説明を繰り返さない。
＜第３の実施の形態＞
【００４３】
上記第１の実施の形態においては、収納ユニット１００は、右側の扉４Ｒの裏面に着脱自在に構成されているが、左側の扉４Ｌの裏面に着脱自在に構成されているものであってもよい。さらに、１つの収納ユニット１００が任意に両側の扉４Ｌ，４Ｒに着脱自在に構成されてもよい。また、２つの収納ユニット１００のそれぞれが扉４Ｌ，４Ｒに着脱自在に構成されてもよい。また、１つの扉４Ｒに複数の収納ユニット１００が着脱自在に構成されてもよい。
【００４４】
その他の構成は、第１の実施の形態のそれらと同様であるため、ここでは説明を繰り返さない。
＜第４の実施の形態＞
【００４５】
上記第１の実施の形態においては、図４に示したように、収納ユニット１００は、棚４ｂ，４ｃ，４ｄ，４ｅの上面に単に載置されるだけのものであったが、図５に示すように、棚４ｅの上面に、係止部４２Ｄ，４２Ｄが形成されてもよい。すなわちユーザは、扉４Ｒの裏面から収納ユニット１００を取り外して、複数の係止部４２Ｄ，４２Ｄを複数の係止口１０９Ａ，１０９Ａに嵌るようにして、収納ユニット１００を棚４ｅの上面に取り付ける。
【００４６】
その他の構成は、第１の実施の形態のそれらと同様であるため、ここでは説明を繰り返さない。
＜第５の実施の形態＞
【００４７】
上記第２の実施の形態においては、図６および図７に示すように、収納ユニット１００の背面１０９には、係止口１０９Ａ，１０９Ａが形成されるものであった。しかしながら、図６および図７に示すように、背面１０９が基本的に第１の収納スペースの背後にのみ形成されてもよい。そして、扉４Ｌ，４Ｒや棚４ｂ，４ｃ，４ｃ，４ｅの係止部４１Ａ，４１Ａ，４２Ｄ，４２Ｄの位置に対応する部分のみに板状部１０９Ｅ，１０９Ｅが形成されるものであってもよい。
【００４８】
ユーザは、板状部１０９Ｅ，１０９Ｅを係止部４１Ａ，４１Ａに引っ掛けることによって収納ユニット１００を扉４Ｌ，４Ｒに取り付けたり，板状部１０９Ｅ，１０９Ｅを係止部４２Ｄ，４２Ｄに掛けることによって収納ユニット１００を棚４ｂ，４ｃ，４ｃ，４ｅに取り付けたりする。
【００４９】
その他の構成は、第１の実施の形態のそれらと同様であるため、ここでは説明を繰り返さない。
＜第６の実施の形態＞
【００５０】
上記第１〜第５の実施の形態においては、図３および図４に示すように、収納ユニット１００の背面１０９に、係止口１０９Ａ，１０９Ａが形成され、扉４Ｒ，４Ｌや棚４ｂ，４ｃ，４ｄ，４ｅの裏面に係止部４１Ａ，４１Ａ，４２Ｄ，４２Ｄが形成されるものであった。しかしながら、逆に、図８および図９に示すように、収納ユニット１００の背面１０９に、凸部１０９Ｆ，１０９Ｆが形成され、扉４Ｒの裏面に係止口すなわち孔部または凹部４１Ｆ，４１Ｆが形成されてもよい。この場合は、棚４ｅの上面にも係止口すなわち孔部または凹部４２Ｆ，４２Ｆが形成されることが好ましい。
【００５１】
その他の構成は、第１の実施の形態のそれらと同様であるため、ここでは説明を繰り返さない。
＜第７の実施の形態＞
【００５２】
上記第１〜第６の実施の形態においては、収納ユニット１００が第１〜第３の収納スペースを有するものであった。しかしながら、図１０および図１１に示すように、収納ユニット１００が第１〜４の収納スペースを有するものであってもよい。
【００５３】
より詳細には、収納ユニット１００は、背面１０９と、背面１０９から角度βだけ開かれた第１の壁１０１と、第１の壁１０１と平行に第１の壁１０１の下方に形成される第２の壁１０２と、第２の壁１０２と平行に第２の壁１０２の下方に形成される第３の壁１０３と、第３の壁１０３の下方に形成される第４の壁１０４とを有する。
【００５４】
そして、背面１０９と第１の壁１０１と第２の壁１０２と第３の壁１０３と第４の壁１０４の左端部には、側壁１０７Ａが形成される。同様に、背面１０９と第１の壁１０１と第２の壁１０２と第３の壁１０３と第４の壁１０４の右端部にも、側壁１０７Ｂが形成される。
【００５５】
このような構成であるため、背面１０９と第１の壁１０１と側壁１０７Ａ，１０７Ｂとによって、第１の収納スペースが形成される。そして、第１の壁１０１と第２の壁１０２と側壁１０７Ａ，１０７Ｂとによって、第２の収納スペースが形成される。そして、第２の壁１０２と第３の壁１０３と側壁１０７Ａ，１０７Ｂとによって、第３の収納スペースが形成される。そして、第３の壁１０３と第４の壁１０４と側壁１０７Ａ，１０７Ｂとによって、第４の収納スペースが形成される。
【００５６】
また、本実施の形態においては、第１の壁１０１と第２の壁１０２との間の幅Ｘよりも、第２の壁１０２と第３の壁１０３との間の幅Ｙの方が広く形成されている。第２の壁１０２と第３の壁１０３との間の幅Ｙよりも、第３の壁１０３と第４の壁１０４との間の幅Ｚの方が広く形成されている。これによって、第２の収納スペースよりも第３の収納スペースに、大きいチューブやビンを収納することができ、第３の収納スペースよりも第４の収納スペースに、さらに大きいチューブやビンを収納することができるので、収納ユニット１００の体勢が安定する。
【００５７】
また、本実施の形態にかかる冷蔵庫１も、収納ユニット１００を棚４ｅに載置した場合に、収納ユニット１００の一番高い部分と棚４ｄとの間に１ｃｍ以上の隙間が形成されることが好ましい。これによって、冷蔵庫内の空気がスムーズに流れ、冷却効率が減少することを避けることができる。
【００５８】
より詳細には、棚４ｂ，４ｃ，４ｄ，４ｅ同士の間隔は、３５０ｍｍｌのビールの缶が入るように構成されているため、収納ユニット１００は、棚４ｂ，４ｃ，４ｄ，４ｅに載置したときの高さが、３５０ｍｍｌのビールの高さと同様になるように形成されることが好ましい。
【００５９】
たとえば、背面１０９と第１の壁１０１との間の角度αが、２５〜５５度であることが好ましい。さらには、背面１０９と第１の壁１０１との間の角度αが、３５〜５０度であることが好ましい。
＜第８の実施の形態＞
【００６０】
上記第１〜第６の実施の形態においては、収納ユニット１００が第１〜第３の収納スペースを有するものであった。しかしながら、図１２および図１３に示すように、収納ユニット１００が第１と第２の収納スペースを有するものであってもよい。
【００６１】
より詳細には、収納ユニット１００は、背面１０９と、背面１０９から角度γだけ開かれた第１の壁１０１と、第１の壁１０１と平行に第１の壁１０１の下方に形成される第２の壁１０２とを有する。
【００６２】
そして、背面１０９と第１の壁１０１と第２の壁１０２の左端部には、側壁１０７Ａが形成される。同様に、背面１０９と第１の壁１０１と第２の壁１０２の右端部にも、側壁１０７Ｂが形成される。
【００６３】
このような構成であるため、背面１０９と第１の壁１０１と側壁１０７Ａ，１０７Ｂとによって、第１の収納スペースが形成される。そして、第１の壁１０１と第２の壁１０２と側壁１０７Ａ，１０７Ｂとによって、第２の収納スペースが形成される。
【００６４】
また、本実施の形態にかかる冷蔵庫１も、収納ユニット１００を棚４ｅに載置した場合に、収納ユニット１００の一番高い部分と棚４ｄとの間に１ｃｍ以上の隙間が形成されることが好ましい。これによって、冷蔵庫内の空気がスムーズに流れ、冷却効率が減少することを避けることができる。
【００６５】
より詳細には、棚４ｂ，４ｃ，４ｄ，４ｅ同士の間隔は、３５０ｍｍｌのビールの缶が入るように構成されているため、収納ユニット１００は、棚４ｂ，４ｃ，４ｄ，４ｅに載置したときの高さが、３５０ｍｍｌのビールの高さと同様になるように形成されることが好ましい。
【００６６】
たとえば、背面１０９と第１の壁１０１との間の角度αが、３５〜６５度ぐらいであることが好ましい。さらには、背面１０９と第１の壁１０１との間の角度αが、４０〜５５度であることが好ましい。
【００６７】
その他の構成は、第１の実施の形態のそれらと同様であるため、ここでは説明を繰り返さない。
＜第９の実施の形態＞
【００６８】
上記第１〜第８の実施の形態においては、第１〜第４の収納スペースにリブ１０５，１０５が形成されるものであった。しかしながら、図１４に示すように、第１〜第４の収納スペースに仕切り１０５Ｘ，１０５Ｘ・・・が形成されるものであってもよい。これによって、第１〜第４の収納スペースに挿入されたチューブやビンを、真っ直ぐに挿入し易く、また収納中にそれらが倒れ難くなる。
＜上記の複数の実施の形態のまとめ＞
【００６９】
上記の第１〜第９の実施の形態においては、冷蔵庫１が提供される。冷蔵庫１は、扉４Ｌ，４Ｒと、少なくとも１つの棚４ｂ，４ｃ，４ｄ，４ｅと、少なくともチューブまたはビンを挿入可能であって、前記扉４Ｌ，４Ｒの内側に着脱自在な収納ユニット１００とを備える。前記収納ユニット１００が前記少なくとも１つの棚４ｂ，４ｃ，４ｄ，４ｅに載置可能である。
【００７０】
好ましくは、前記収納ユニット１００には、斜め方向に、前記少なくともチューブまたはビンを挿入可能である。前記収納ユニット１００の背面と前記少なくともチューブまたはビンの挿入方向との角度α，β，γが３０以上６０度以下である。
【００７１】
好ましくは、前記収納ユニット１００は、前記収納ユニット１００を前記扉４Ｌ，４Ｒに掛けた状態における上下方向に、複数の収納スペースが形成される。前記収納ユニット１００を前記扉４Ｌ，４Ｒに掛けた状態における、下段の収納スペースの上下方向の幅Ｙが、上段の収納スペースの上下方向の幅Ｘよりも広い。
【００７２】
好ましくは、収納スペースの内壁には、前記少なくともチューブまたはビンの挿入方向と平行に複数のリブ１０５，１０５・・・が形成されている。
【００７３】
好ましくは、前記収納ユニット１００には少なくとも１つの係止部１０９Ｆが形成されている。前記扉４Ｌ，４Ｒおよび前記棚４ｂ，４ｃ，４ｄ，４ｅには、前記係止部１０９Ｆに対応する少なくとも１つの係止口４１Ｆ，４２Ｆが形成されている。
【００７４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７５】
１        ：冷蔵庫
２        ：断熱箱体
４        ：冷蔵室
４Ｌ      ：扉
４Ｒ      ：扉
４ｂ      ：棚
４ｃ      ：棚
４ｄ      ：棚
４ｅ      ：棚
５        ：冷凍室
５ａ      ：断熱扉
６        ：冷凍室
６ａ      ：断熱扉
７        ：野菜室
７ａ      ：断熱扉
１７      ：給水部
２１      ：冷凍室
２１ａ    ：断熱扉
４１Ａ    ：係止部
４１Ｆ    ：係止口
４２Ｄ    ：係止部
４２Ｆ    ：係止口
４５Ｌ    ：ケース
４５Ｒ    ：ケース
７０      ：チルド室
１００    ：収納ユニット
１０１    ：第１の壁
１０２    ：第２の壁
１０３    ：第３の壁
１０４    ：第４の壁
１０５    ：リブ
１０５Ｘ  ：仕切り
１０７Ａ  ：側壁
１０７Ｂ  ：側壁
１０９    ：背面
１０９Ａ  ：係止口
１０９Ｅ  ：板状部
１０９Ｆ  ：係止部
１１９    ：背面
【図１】
0006480831.tif 000002
【図２】
0006480831.tif 000003
【図３】
0006480831.tif 000004
【図４】
0006480831.tif 000005
【図５】
0006480831.tif 000006
【図６】
0006480831.tif 000007
【図７】
0006480831.tif 000008
【図８】
0006480831.tif 000009
【図９】
0006480831.tif 000010
【図１０】
0006480831.tif 000011
【図１１】
0006480831.tif 000012
【図１２】
0006480831.tif 000013
【図１３】
0006480831.tif 000014
【図１４】
0006480831.tif 000015